(57)【要約】      （修正有）【課題】幅広い分野で使用可能であって、且つ発光ダイオードを置換え可能な発光ダイオードランプを提供する。【解決手段】少なくとも一つの発光ダイオードランプユニット２と、調整部材３とを含み、前記発光ダイオードランプユニットは、発光ダイオード部材４と、放熱部材５とを含み、前記発光ダイオード部材は、少なくとも一つの発光ダイオード電球４１と、固定台４２とを含み、前記放熱部材は、少なくとも一つの放熱フィン５１を含み、発光ダイオード部材の固定台と結合して気流通路を形成し、前記調整部材が発光ダイオード部材の放熱部材と結合する発光ダイオードランプにおいて、発光ダイオード電球は、発光ダイオードと、連接部と、二つの第１導電子と、笠と、ランプ殻と、リード具とを含み、固定台は、プレートと、少なくとも一つの灯台と、少なくとも一つの基板と、少なくとも一つの緩衝具とを含む。【選択図】図２
0003162475.tif 000002
【実用新案登録請求の範囲】
【請求項１】
少なくとも一つの発光ダイオードランプユニット（２）と、調整部材（３）と、を含み、前記発光ダイオードランプユニット（２）は、発光ダイオード部材（４）と、放熱部材（５）と、を含み、前記発光ダイオード部材（４）は、少なくとも一つの発光ダイオード電球（４１）と、固定台（４２）と、を含み、前記放熱部材（５）は、少なくとも一つの放熱フィン（５１）を含み、前記発光ダイオード部材（４）の前記固定台（４２）と結合して気流通路を形成し、前記調整部材（３）が前記発光ダイオード部材（４）の前記放熱部材（５）と結合する発光ダイオードランプにおいて、
前記発光ダイオード電球（４１）は、発光ダイオード（４３）と、連接部（４４）と、二つの第１導電子（４５）と、笠（４６）と、ランプ殻（４７）と、リード具（４８）と、を含み、
前記連接部（４４）は、発光ダイオード（４３）を固定する固定部（４４１）が設けられ、前記第１導電子（４５）は、導電性を有し柱状に構成され、その上縁が前記発光ダイオード（４３）と電気的に連接し、前記笠（４６）は、第２窪み（４６１）が設けられ、その底部の中心には、前記連接部（４４）を固定する貫通孔（４６２）が設けられ、前記ランプ殻（４７）が前記笠（４６）の前記第２窪み（４６１）と結合し、前記リード具（４８）は、その軸心の近傍と、その外縁の近傍には、前記第１導電子（４５）を挿入する電極通路（４８１、４８２）がそれぞれ設けられ、
前記固定台（４２）は、プレート（４２０）と、少なくとも一つの灯台（４２１）と、少なくとも一つの基板（４２２）と、少なくとも一つの緩衝具（４２３）と、を含み、
前記プレート（４２０）に貫通孔（４２４）が一つ以上設けられ、前記灯台（４２１）は、前記プレート（４２０）の前記貫通孔（４２４）に固定され、第３窪み（４２７）が設けられ、前記基板（４２２）は、印刷回路板であり、前記灯台（４２１）の前記第３窪み（４２７）に配され、その中心と外周縁には、前記発光ダイオード電球（４１）と対応し電気的に連接する電極線（４２２１、４２２２）がそれぞれ設けられ、前記緩衝具（４２３）は、前記灯台（４２１）の前記第３窪み（４２７）と前記基板（４２２）との間に配され、組立時の緩衝効果を発揮することを特徴とする発光ダイオードランプ。
【請求項２】
更に、組合台座（６）を含み、前記組合台座（６）の後端に開口部（６１）が設けられ、前記開口部（６１）に前記調整部材（３）を挿入可能であり、前記組合台座（６）の前端には、電力柱またはランプ支持柱を挿入可能な窪み（６２）が設けられることを特徴とする、請求項１に記載の発光ダイオードランプ。
【請求項３】
少なくとも一つの発光ダイオードランプユニット（２）と、調整部材（３）と、を含み、前記発光ダイオードランプユニット（２）は、発光ダイオード部材（４）と、放熱部材（５）と、を含み、前記発光ダイオード部材（４）は、少なくとも一つの発光ダイオード電球（４１）と、固定台（４２）と、を含み、前記放熱部材（５）は、少なくとも一つの放熱フィン（５１）を含み、前記発光ダイオード部材（４）の前記固定台（４２）と結合して気流通路を形成し、前記調整部材（３）が前記発光ダイオード部材（４）の前記放熱部材（５）と結合する発光ダイオードランプにおいて、
前記調整部材（３）は、一つの調整具（３１）と、一つの調整台（３２）と、を少なくとも含み、
前記調整具（３１）は、前記気流通路の一側に設けられ、調整シャフト（３１４）を有し、嵌合方式で前記調整台（３２）と結合可能であり、前記調整シャフト（３１４）にオス噛合部（３１５）が設けられ、前記調整シャフト（３１４）の周縁に環状溝（３１６）が設けられ、
前記調整台（３２）は、前記調整具（３１）の前記調整シャフト（３１４）と嵌合するメス構造であり、その内部にメス噛合部（３２１）が設けられ、前記調整台（３２）に第１締結穴（３２２）が設けられ、前記第１締結穴（３２２）が前記調整シャフト（３１４）の前記環状溝（３１６）に対応し、前記調整台（３２）の前記メス噛合部（３２１）に前記調整シャフト（３１４）の前記オス噛合部（３１５）を噛合った後、定位具（３１７）を前記第１締結穴（３２２）に螺入して前記調整シャフト（３１４）の前記環状溝（３１６）に押付けることにより、前記調整具（３１）と前記調整台（３２）とを安定に結合することができることを特徴とする発光ダイオードランプ。
【請求項４】
更に、組合台座（６）を含み、前記組合台座（６）の後端に開口部（６１）が設けられ、前記開口部（６１）に前記調整部材（３）を挿入可能であり、前記組合台座（６）の前端には、電力柱またはランプ支持柱を挿入可能な窪み（６２）が設けられることを特徴とする、請求項３に記載の発光ダイオードランプ。
【考案の詳細な説明】
【技術分野】
【０００１】
本考案は、幅広い分野で使用可能であって、且つ発光ダイオードを置換え可能な発光ダイオードランプに関するものである。
【背景技術】
【０００２】
発光ダイオードの寿命は５万時間以上であり、電球の１０００時間および蛍光灯の１万時間よりも遥かに長いため、ランプを取り替えるコストを減少することができる。
【０００３】
しかし、従来の発光ダイオードを発光源とするランプは、発光ダイオードが回路板に直接溶接され、発光ダイオードが損壊したときには、損壊した発光ダイオードだけを取り替えることができないため、保全コストが増加する。
【０００４】
また、従来の発光ダイオードを用いた街灯は、発光ダイオードが回路板に直接溶接されているため、その照射範囲および照射角度が規制され、今まで適用可能な分野を有効に拡大することができなかった。
【考案の概要】
【考案が解決しようとする課題】
【０００５】
本考案の主な目的は、幅広い分野で使用可能であって、且つ発光ダイオードを置換え可能な発光ダイオードランプを提供することにある。
【課題を解決するための手段】
【０００６】
本考案の発光ダイオードランプは、少なくとも一つの発光ダイオードランプユニット２と、調整部材３と、を含み、発光ダイオードランプユニット２は、発光ダイオード部材４と、放熱部材５と、を含み、発光ダイオード部材４は、少なくとも一つの発光ダイオード電球４１と、固定台４２と、を含み、放熱部材５は、少なくとも一つの放熱フィン５１を含み、発光ダイオード部材４の固定台４２と結合して気流通路を形成し、調整部材３が発光ダイオード部材４の放熱部材５と結合する発光ダイオードランプにおいて、発光ダイオード電球４１は、発光ダイオード４３と、連接部４４と、二つの第１導電子４５と、笠４６と、ランプ殻４７と、リード具４８と、を含み、連接部４４は、発光ダイオード４３を固定する固定部４４１が設けられ、第１導電子４５は、導電性を有し柱状に構成され、その上縁が発光ダイオード４３と電気的に連接し、笠４６は、第２窪み４６１が設けられ、その底部の中心には、連接部４４を固定する貫通孔４６２が設けられ、ランプ殻４７が笠４６の第２窪み４６１と結合し、リード具４８は、その軸心の近傍と、その外縁の近傍には、第１導電子４５を挿入する電極通路４８１、４８２がそれぞれ設けられ、固定台４２は、プレート４２０と、少なくとも一つの灯台４２１と、少なくとも一つの基板４２２と、少なくとも一つの緩衝具４２３と、を含み、プレート４２０に貫通孔４２４が一つ以上設けられ、灯台４２１は、プレート４２０の貫通孔４２４に固定され、第３窪み４２７が設けられ、基板４２２は、印刷回路板であり、灯台４２１の第３窪み４２７に配され、その中心と外周縁には、発光ダイオード電球４１と対応し電気的に連接する電極線４２２１、４２２２がそれぞれ設けられ、緩衝具４２３は、灯台４２１の第３窪み４２７と基板４２２との間に配され、組立時の緩衝効果を発揮することを特徴とする。
【０００７】
本考案の発光ダイオードランプは、更に、組合台座６を含み、組合台座６の後端に開口部６１が設けられ、開口部６１に調整部材３を挿入可能であり、組合台座６の前端には、電力柱またはランプ支持柱を挿入可能な窪み６２が設けられることを特徴とする。
【０００８】
本考案の発光ダイオードランプは、少なくとも一つの発光ダイオードランプユニット２と、調整部材３と、を含み、発光ダイオードランプユニット２は、発光ダイオード部材４と、放熱部材５と、を含み、発光ダイオード部材４は、少なくとも一つの発光ダイオード電球４１と、固定台４２と、を含み、放熱部材５は、少なくとも一つの放熱フィン５１を含み、発光ダイオード部材４の固定台４２と結合して気流通路を形成し、調整部材３が発光ダイオード部材４の放熱部材５と結合する発光ダイオードランプにおいて、調整部材３は、一つの調整具３１と、一つの調整台３２と、を少なくとも含み、調整具３１は、前記気流通路の一側に設けられ、調整シャフト３１４を有し、嵌合方式で調整台３２と結合可能であり、調整シャフト３１４にオス噛合部３１５が設けられ、調整シャフト３１４の周縁に環状溝３１６が設けられ、調整台３２は、調整具３１の調整シャフト３１４と嵌合するメス構造であり、その内部にメス噛合部３２１が設けられ、調整台３２に第１締結穴３２２が設けられ、第１締結穴３２２が調整シャフト３１４の環状溝３１６に対応し、調整台３２のメス噛合部３２１に調整シャフト３１４のオス噛合部３１５を噛合った後、定位具３１７を第１締結穴３２２に螺入して調整シャフト３１４の環状溝３１６に押付けることにより、調整具３１と調整台３２とを安定に結合することができることを特徴とする。
【０００９】
本考案の発光ダイオードランプは、更に、組合台座６を含み、組合台座６の後端に開口部６１が設けられ、開口部６１に調整部材３を挿入可能であり、組合台座６の前端には、電力柱またはランプ支持柱を挿入可能な窪み６２が設けられることを特徴とする。
【考案の効果】
【００１０】
本考案の発光ダイオードランプによれば、次のような効果がある。
（１）損壊した発光ダイオードだけを取替えることができ、発光ダイオードの取替作業が簡単であるため、修理工数および修理コストを減少することができる。
（２）幅広い分野で使用可能であって、お客様の要求に応じてモジュール毎に生産することができる。
（３）噛合方式で調整部材を嵌合するため、調整部材に発光ダイオードランプユニットを結合した後、発光ダイオードランプユニットを単独で調整することにより照射角度を調整可能であり、そして組合台座により照射範囲を拡大することができる。
【図面の簡単な説明】
【００１１】
【図１】本考案の発光ダイオードランプの組立状態を示す斜視図である。
【図２】本考案の発光ダイオードランプの分解斜視図である。
【図３】本考案の発光ダイオードランプの別の角度から見た斜視図である。
【図４】本考案の発光ダイオード電球の分解斜視図である。
【図５】本考案の発光ダイオード電球の別の角度から見た分解斜視図である。
【図６】本考案の固定台の分解斜視図である。
【図７】本考案の固定台の別の角度から見た分解斜視図である。
【図８】本考案の固定台に発光ダイオード電球を結合した状態の正面断面図である。
【図９】本考案の放熱フィンの斜視図である。
【図１０】図９における放熱フィンの正面図である。
【図１１】本考案の別の実施例の放熱フィンを示す斜視図である。
【図１２】図１１における放熱フィンの正面図である。
【図１３】本考案の調整部材の分解斜視図である。
【図１４】本考案の調整部材の組立状態の断面図である。
【図１５】本考案の調整部材の別の角度から見た分解斜視図である。
【図１６】図１１における放熱フィンが組み付けられる本考案の発光ダイオードランプの調整部材を示す分解斜視図である。
【図１７】本考案の組立台座を示す斜視図である。
【図１８】本考案の組立台座の別の角度から見た斜視図である。
【図１９】本考案の実施例の３組の発光ダイオードランプユニットと調整部材と組立台座とを示す分解斜視図である。
【図２０】本考案の実施例の３組の発光ダイオードランプユニットと調整部材と組立台座との組立状態を示す斜視図である。
【図２１】本考案の別の実施例の分解斜視図であって、本願出願人が現在出願中の特願２００９−２３５８６０号に記載の「発光ダイオードランプの電極」を示す斜視図である。
【考案を実施するための最良の形態】
【００１２】
以下、本考案の実施の形態を図面に基づいて説明する。
まず、図１乃至図５を参照する。本考案の発光ダイオードランプ１は、少なくとも一つの発光ダイオードランプユニット２と、調整部材３とを含み、発光ダイオードランプユニット２は、発光ダイオード部材４と、放熱部材５とを含む。発光ダイオード部材４は、少なくとも一つの発光ダイオード電球４１と、固定台４２とを含む。
【００１３】
発光ダイオード電球４１は、発光ダイオード４３と、連接部４４と、二つの第１導電子４５と、笠４６と、ランプ殻４７と、リード具４８とを含む。連接部４４は、発光ダイオード４３を固定する固定部４４１が設けられ、その下端のエッジに外ねじ４４２が設けられ、その内部に第１窪み４４３が設けられ、その外縁に電極通路４４４、４４５が設けられる。第１導電子４５は、導電性を有し柱状に構成されるものであり、屈折されてもよく、その上縁が電極通路４４４、４４５を挿通して発光ダイオード４３と電気的に連接する。笠４６は、内ねじを有する第２窪み４６１が設けられ、その底部の中心には、連接部４４を固定する貫通孔４６２が設けられる。ランプ殻４７は、外ねじ４７１を有し、笠４６の第２窪み４６１と螺合する。リード具４８は、連接部４４の第１窪み４４３に配され、その軸心の近傍と、その外縁の近傍とには、第１導電子４５を挿入する電極通路４８１、４８２がそれぞれ設けられる。
【００１４】
発光ダイオード電球４１は、更に、二つの第２導電具４９を含む。二つの第２導電具４９は、導電性を有し柱状に構成されるものであり、その上縁が二つの第１導電具４５の下縁とそれぞれ接続し、導電具４９の下端には凸縁４９１が構成される。
【００１５】
次に、本考案の発光ダイオード電球４１の組立方法を説明する。まず、連接部４４の固定部４４１に発光ダイオード４３を固定して、二つの第１導電具４５をそれぞれ電極通路４４４、４４５に挿通して発光ダイオード４３と電気的に連接して、笠４６の貫通孔４６２に連接部４４を挿通して固定した後、ランプ殻４７と笠４６とを互いに螺合する。リード具４８の電極通路４８１、４８２に二つの第１導電具４５の下縁をそれぞれ挿通した後、連接部４４の第１窪み４４３にリード具４８を固定して、二つの第１導電具４５の下縁に二つの第２導電具４９の上縁を接続する。そうすると、本考案の発光ダイオード電球４１の組立作業が完成する。
【００１６】
また、図２、図４、図６、図７及び図８を参照する。固定台４２は、プレート４２０と、少なくとも一つの灯台４２１と、少なくとも一つの基板４２２と、少なくとも一つの緩衝具４２３とを含む。プレート４２０は、アルミ押出加工によって作製されてもよい。プレート４２０には、灯台４２１を固定する一つ以上の貫通孔４２４と、放熱部材５を締結する複数の第２固定穴４２５と、調整部材３を締結する複数の第３固定穴４２６とが設けられる。灯台４２１は、プレート４２０の貫通孔４２４に固定され、その底部には、外部の電線（図示せず）を挿通するための貫通孔４２８が二つ設けられる。灯台４２１にねじ穴を有する第３窪み４２７が設けられる。基板４２２は、印刷回路板であり、灯台４２１の第３窪み４２７に配され、その中心と外周縁には、発光ダイオード電球４１と対応し電気的に連接する電極線４２２１、４２２２がそれぞれ設けられる。緩衝具４２３は、シリコンで作製されたものでもよく、灯台４２１の第３窪み４２７と基板４２２との間に配され、組立時の緩衝効果を発揮する。緩衝具４２３には、外部の電線（図示せず）を挿通するための貫通孔４２９が二つ設けられる。
【００１７】
固定台４２を組立てた後、固定台４２の灯台４２１の第３窪み４２７に発光ダイオード電球４１の連接部４２１の第３窪み４２７を螺入することにより、発光ダイオード電球４１の二つの第２導電具４９の凸縁４９１が第３窪み４２７に配された基板４２２の二つの電極線４２２１、４２２２と電気的に連接し、緩衝具４２３により組立時の緩衝効果を得ることができ、なお、外部の電線（図示せず）は、灯台４２１の二つの貫通孔４２８と、緩衝具４２３の二つの貫通孔４２９とを挿通して基板４２２に溶接される。
【００１８】
放熱部材５は、発光ダイオード部材４に結合され、図２、図６、図９及び図１２に示すように、少なくとも一つの放熱フィン５１を含み、アルミ押出加工によって作製されてもよく、その外形が菱状または円弧状で構成されている。当該構成によって、フィンが設けられない状況でも、発光ダイオード電球４１からの熱を大気に放出することができる。放熱フィン５１の両側に固定穴（図示せず）が複数設けられ、これらの固定穴がそれぞれ固定台４２のプレート４２０の第２固定穴４２５に対応し、例えばネジなどの締結具（図示せず）により固定台４２に放熱フィン５１を結合することができ、そうすると、放熱フィン５１と固定台４２との間に気流通路が形成され、放熱効果を得ることができる。
【００１９】
放熱部材５は、図２に示すように、更に、ケース５２と、サイドカバー５３とを含む。ケース５２は、放熱フィン５１の上方に配され、放熱、防塵及び雨水の遮断などの目的を達成することができる。サイドカバー５３は、その周縁に通気穴５３１が複数設けられ、前記気流通路の一側に配され、蚊などの前記気流通路への侵入を防止することができる。
【００２０】
調整部材３は、発光ダイオード部材４と、放熱部材５とに結合され、図２、図７、図１３乃至図１６に示すように、一つの調整具３１と、一つの調整台３２とを少なくとも含む。調整具３１は、放熱部材５の放熱フィン５１と発光ダイオード部材４の固定台４２とを結合して構成される気流通路の一側に設けられる。調整具３１は、その周縁に通気穴３１１が複数設けられ、その中心に外部の電線（図示せず）を挿通するためのホール３１２が設けられる。調整具３１の一側から固定部３１３が延び、固定部３１３は、前記気流通路に挿入され、発光ダイオード部材４に固定され、例えばネジなどの締結具（図示せず）により固定台４２のプレート４２０の第３固定穴４２６に締結することができる。調整具３１の他側から調整シャフト３１４が延び、調整シャフト３１４は、円柱状に構成され、調整台３２と嵌合することができる。調整シャフト３１４は、その内側に歯車状に構成されたオス噛合部３１５が設けられ、その外側に近接する周縁に環状溝３１６が設けられ、環状溝３１６にネジなどの定位具３１７を押付けることができる。
【００２１】
調整台３２は、調整具３１の調整シャフト３１４と嵌合するメス構造であり、その内部に歯車状に構成されたメス噛合部３２１が設けられる。調整台３２の外縁には、第１締結穴３２２と、複数の第２締結穴３２３とが設けられる。第１締結穴３２２が調整シャフト３１４の環状溝３１６に対応する。調整台３２に調整シャフト３１４を挿入し、調整台３２のメス噛合部３２１に調整シャフト３１４のオス噛合部３１５を噛合せた後、定位具３１７を第１締結穴３２２に螺入して調整シャフト３１４の環状溝３１６に押付けることにより、調整具３１と調整台３２とを安定して結合することができる。第２締結穴３２３に組立台座（図示せず）を締結することができる。
【００２２】
調整部材３と発光ダイオードランプユニット２とを組立てた後、照射角度を調整したいときには、定位具３１７を緩めて、調整台３２のメス噛合部３２１から調整シャフト３１４のオス噛合部３１５を離脱させ、上記両者の噛合角度を調整して、再度、メス噛合部３２１とオス噛合部３１５とを互いに噛合わせた後、定位具３１７により、調整具３１と調整台３２とを安定して結合することができる。これにより、照射角度を調整することができる。
【００２３】
図１７乃至図２０を参照する。本考案の発光ダイオードランプ１は、更に、組合台座６を含む。組合台座６は、必要によって、複数組の発光ダイオードランプユニット２及び調整部材３とを結合することができる。本実施例では、発光ダイオードランプユニット２と調整部材３とがそれぞれ３組ある。組合台座６の後端に開口部６１が設けられ、必要によって開口部６１を適当に傾斜にしてもよく、開口部６１に調整部材３の調整台３２を挿入可能である。開口部６１の上下端に複数の第３締結穴６１１がそれぞれ設けられ、例えばネジなどの締結具６１２により、調整台３２の第２締結穴３２３と第３締結穴６１１とを締結することができる。組合台座６の前端には、電力柱またはランプ支持柱（図示せず）を挿入可能な窪み６２が設けられる。これにより、電力柱またはランプ支持柱に本考案の発光ダイオードランプ１を組付けることができる。
【００２４】
図２１を参照する。図２１は本考案の別の実施例の分解斜視図である。発光ダイオード部材４は、一つ以上の発光ダイオード電球４１ａと、固定台４２と、を含む。発光ダイオード電球４１ａは、本願出願人が現在出願中の特願２００９−２３５８６０号の「発光ダイオードランプの電極」を引用する。固定台４２はプレート４２０である。組立てたいときには、プレート４２０の貫通孔４２４に発光ダイオード電球４１ａを挿通して、例えばナットなどの締結具６１３により、発光ダイオード電球４１ａとプレート４２０とを締結することができる。
【産業上の利用可能性】
【００２５】
本考案は、発光ダイオードランプに適用することができる。
【符号の説明】
【００２６】
１        発光ダイオードランプ
２        発光ダイオードランプユニット
３        調整部材
４        発光ダイオード部材
５        放熱部材
６        組合台座
３１      調整具
３２      調整台
４１      発光ダイオード電球
４１ａ    発光ダイオード電球
４２      固定台
４３      発光ダイオード
４４      連接部
４５      第１導電子
４６      笠
４７      ランプ殻
４８      リード具
４９      第２導電具
５１      放熱フィン
５２      ケース
５３      サイドカバー
６１      開口部
６２      窪み
３１１    通気穴
３１２    ホール
３１３    固定部
３１４    調整シャフト
３１５    オス噛合部
３１６    環状溝
３１７    定位具
３２１    メス噛合部
３２２    第１締結穴
３２３    第２締結穴
４２０    プレート
４２１    灯台
４２２    基板
４２３    緩衝具
４２４    貫通孔
４２５    第２固定穴
４２６    第３固定穴
４２７    第３窪み
４２８    貫通孔
４２９    貫通孔
４４１    固定部
４４２    外ねじ
４４３    第１窪み
４４４，４４５    電極通路
４６１    第２窪み
４６２    貫通孔
４７１    外ねじ
４８１，４８２    電極通路
４９１    凸縁
５３１    通気穴
６１１    第３締結穴
６１２    締結具
４２２１，４２２２    電極線
【図１】
0003162475.tif 000003
【図２】
0003162475.tif 000004
【図３】
0003162475.tif 000005
【図４】
0003162475.tif 000006
【図５】
0003162475.tif 000007
【図６】
0003162475.tif 000008
【図７】
0003162475.tif 000009
【図８】
0003162475.tif 000010
【図９】
0003162475.tif 000011
【図１０】
0003162475.tif 000012
【図１１】
0003162475.tif 000013
【図１２】
0003162475.tif 000014
【図１３】
0003162475.tif 000015
【図１４】
0003162475.tif 000016
【図１５】
0003162475.tif 000017
【図１６】
0003162475.tif 000018
【図１７】
0003162475.tif 000019
【図１８】
0003162475.tif 000020
【図１９】
0003162475.tif 000021
【図２０】
0003162475.tif 000022
【図２１】
0003162475.tif 000023